【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
冷媒を圧縮するとともに、シャフトが鉛直方向に交差する方向に沿って延びる横置き型の圧縮機部（２０Ａ）と、
前記圧縮機部と横並びに配置され、前記圧縮機部に前記冷媒を供給するアキュムレータ部（２０Ｂ）と、を備え、
前記圧縮機部は、
前記アキュムレータ部より供給される前記冷媒を流入する流入口（２１１）が形成された圧縮機ケース（２１）を有し、
前記アキュムレータ部は、
前記冷媒を気相冷媒と液相冷媒とに分離してオイルを含む液相冷媒を貯留する有底筒状のアキュムレータケース（２２）と、
前記アキュムレータケースの開口部を塞ぐように前記アキュムレータケースと前記圧縮機ケースとの間に配置され、前記オイルを含む液相冷媒および前記気相冷媒を前記圧縮機ケースの前記流入口へと導く流路（２３ｅ、２３ｆ、２３１）を形成する板状の板状部材（２３）と、を有し、
前記アキュムレータケースが前記板状部材を介して前記圧縮機ケースに固定されており、
前記圧縮機ケースの内部は、前記冷媒が流入するモータ室（Ｒｍ）と、該モータ室に流入した前記冷媒を圧縮する圧縮室（Ｒｃ）と、に区画されており、
前記アキュムレータケースは、前記モータ室を挟んで前記圧縮室と反対側の前記圧縮機ケースに固定されている圧縮機。
【請求項２】
冷媒を圧縮するとともに、シャフトが鉛直方向に交差する方向に沿って延びる横置き型の圧縮機部（２０Ａ）と、
前記圧縮機部と横並びに配置され、前記圧縮機部に前記冷媒を供給するアキュムレータ部（２０Ｂ）と、を備え、
前記圧縮機部は、
前記アキュムレータ部より供給される前記冷媒を流入する流入口（２１１）が形成された圧縮機ケース（２１）を有し、
前記アキュムレータ部は、
前記冷媒を気相冷媒と液相冷媒とに分離してオイルを含む液相冷媒を貯留する有底筒状のアキュムレータケース（２２）と、
前記アキュムレータケースの開口部を塞ぐように前記アキュムレータケースと前記圧縮機ケースとの間に配置され、前記オイルを含む液相冷媒および前記気相冷媒を前記圧縮機ケースの前記流入口へと導く流路（２３ｅ、２３ｆ、２３１）を形成する板状の板状部材（２３）と、を有し、
前記アキュムレータケースが前記板状部材を介して前記圧縮機ケースに固定されており、
前記圧縮機ケースは、筒状を成しており、
前記アキュムレータケースの径方向の最大寸法は、前記圧縮機ケースの径方向の最大寸法よりも長くなっている圧縮機。
【請求項３】
前記アキュムレータケースと前記板状部材との間および前記板状部材と前記圧縮機ケースとの間の少なくとも一方の隙間をシールするシール部材（２４、２５）を備えた請求項１または２に記載の圧縮機。
【請求項４】
前記シール部材は、薄板状のガスケットである請求項３に記載の圧縮機。
【請求項５】
前記板状部材には、前記圧縮機ケースの径方向外側で、前記アキュムレータケースと反対側に突出する空間を形成する突出部（２３２）が形成されている請求項２に記載の圧縮機。
【請求項６】
前記板状部材には、前記気相冷媒を前記圧縮機ケースの前記流入口へと導く第１穴部（２３ｅ）と、前記オイルを含む液相冷媒を前記圧縮機ケースの前記流入口へと導く第２穴部（２３ｆ）と、が形成されている請求項１ないし５のいずれか１つに記載の圧縮機。
【請求項７】
前記板状部材には、前記アキュムレータケース側に凹む凹部（２３１）が形成されており、
前記第１穴部および前記第２穴部は、前記凹部の底面に形成され、
前記第１穴部は、前記第２穴部より上下方向上側に配置されている請求項６に記載の圧縮機。
【請求項８】
前記アキュムレータケースの前記流入口と前記板状部材の前記第１穴部との間には、前記アキュムレータケースの前記流入口から流入して前記板状部材の前記第１穴部へと流れる前記冷媒の流れを妨げる衝立部（２３３）が配置されている請求項６または７に記載の圧縮機。
【請求項９】
前記アキュムレータケースの前記流入口と前記板状部材の前記第１穴部との間には、前記アキュムレータケースの内部に流入する前記冷媒に含まれる不純物を除去するとともに前記アキュムレータケースの前記流入口から流入して前記板状部材の前記第１穴部へと流れる前記冷媒の流れを妨げるフィルタ機能付き衝立部（２３４）が配置されている請求項６ないし８のいずれか１つに記載の圧縮機。
【請求項１０】
前記アキュムレータケースには、前記冷媒を前記アキュムレータケースの内部に流入させる流入口（２２１）が形成されており、
前記アキュムレータケースに形成された前記流入口には、前記アキュムレータケースの内部に流入する前記冷媒に含まれる不純物を除去するフィルタ（３４）が配置されている請求項１ないし９のいずれか１つに記載の圧縮機。
【手続補正２】
【補正対象書類名】明細書
【補正対象項目名】０００９
【補正方法】変更
【補正の内容】
【０００９】
上記目的を達成するため、請求項１に記載の発明は、冷媒を圧縮するとともに、シャフトが鉛直方向に交差する方向に沿って延びる横置き型の圧縮機部（２０Ａ）と、圧縮機部と横並びに配置され、圧縮機部に冷媒を供給するアキュムレータ部（２０Ｂ）と、を備え、圧縮機部は、アキュムレータ部より供給される冷媒を流入する流入口（２１１）が形成された圧縮機ケース（２１）を有し、アキュムレータ部は、冷媒を気相冷媒と液相冷媒とに分離してオイルを含む液相冷媒を貯留する有底筒状のアキュムレータケース（２２）と、アキュムレータケースの開口部を塞ぐようにアキュムレータケースと圧縮機ケースとの間に配置され、オイルを含む液相冷媒および気相冷媒を圧縮機ケースの流入口へと導く流路（２３ｅ、２３ｆ、２３１）を形成する板状の板状部材（２３）と、を有し、アキュムレータケースが板状部材を介して圧縮機ケースに固定されており、圧縮機ケースの内部は、冷媒が流入するモータ室（Ｒｍ）と、該モータ室に流入した冷媒を圧縮する圧縮室（Ｒｃ）と、に区画されており、アキュムレータケースは、モータ室を挟んで圧縮室と反対側の圧縮機ケースに固定されている。
【手続補正３】
【補正対象書類名】明細書
【補正対象項目名】００１０
【補正方法】変更
【補正の内容】
【００１０】
上記した構成によれば、横置き型の圧縮機部（２０Ａ）と、圧縮機部と横並びに配置され、圧縮機部に冷媒を供給するアキュムレータ部（２０Ｂ）と、を備えたので、装置の上下方向の長さを短くすることができる。また、アキュムレータケースが板状部材を介して圧縮機ケースに固定されており、アキュムレータケースと圧縮機ケースを配管で接続する必要がないので、搭載面積を小さくすることができ、かつ、組付性を向上することができる。すなわち、装置の上下方向の長さを短くするとともに搭載面積が小さくなるように小型化を図り、かつ、組付性を向上することができる。
さらに、アキュムレータケースは、モータ室を挟んで圧縮室と反対側の圧縮機ケースに固定されているので、アキュムレータケースが、圧縮室を挟んでモータ室側の配置された場合と比較して小型化することができる。
また、上記目的を達成するため、請求項２に記載の発明は、冷媒を圧縮するとともに、シャフトが鉛直方向に交差する方向に沿って延びる横置き型の圧縮機部（２０Ａ）と、圧縮機部と横並びに配置され、圧縮機部に冷媒を供給するアキュムレータ部（２０Ｂ）と、を備え、圧縮機部は、アキュムレータ部より供給される冷媒を流入する流入口（２１１）が形成された圧縮機ケース（２１）を有し、アキュムレータ部は、冷媒を気相冷媒と液相冷媒とに分離してオイルを含む液相冷媒を貯留する有底筒状のアキュムレータケース（２２）と、アキュムレータケースの開口部を塞ぐようにアキュムレータケースと圧縮機ケースとの間に配置され、オイルを含む液相冷媒および気相冷媒を圧縮機ケースの流入口へと導く流路（２３ｅ、２３ｆ、２３１）を形成する板状の板状部材（２３）と、を有し、アキュムレータケースが板状部材を介して圧縮機ケースに固定されており、圧縮機ケースは、筒状を成しており、アキュムレータケースの径方向の最大寸法は、圧縮機ケースの径方向の最大寸法よりも長くなっている。
上記した構成によれば、横置き型の圧縮機部（２０Ａ）と、圧縮機部と横並びに配置され、圧縮機部に冷媒を供給するアキュムレータ部（２０Ｂ）と、を備えたので、装置の上下方向の長さを短くすることができる。また、アキュムレータケースが板状部材を介して圧縮機ケースに固定されており、アキュムレータケースと圧縮機ケースを配管で接続する必要がないので、搭載面積を小さくすることができ、かつ、組付性を向上することができる。すなわち、装置の上下方向の長さを短くするとともに搭載面積が小さくなるように小型化を図り、かつ、組付性を向上することができる。
さらに、圧縮機ケースは、筒状を成しており、アキュムレータケースの径方向の最大寸法は、圧縮機ケースの径方向の最大寸法よりも長くなっているので、アキュムレータ部の貯液部の容量を増やすことが可能である。